(57)【要約】【課題】引込分岐端子箱に設置される短絡接地器具において、引込分岐端子箱に対する固定強度及び電気的接続の維持力を向上させる。【解決手段】中空状の本体部３内に、電気供給側の電路と接続する高圧側接続端子７と、電気受給側の電路と接続する低圧側接続端子６とが設けられ、前記本体部３の開放部分を開閉可能に装着される蓋部４を備える引込分岐端子箱２に設置される短絡接地器具１であって、中空状の枠体１５，１６と、前記枠体１５，１６を前記蓋部４に替えて前記本体部３に装着可能にする固定手段２５，３９と、前記枠体１５，１６内に設けられ、導電性を有し、前記低圧側接続端子６と接触する接触部１８と、前記接触部１８と電気的に接続し、前記枠体１５，１６の外部に延設される接地用ケーブル２３とを有して構成される【選択図】図３
2009005537.tif 000002
【特許請求の範囲】
【請求項１】
中空状の本体部内に、電気供給側の電路と接続する高圧側接続端子と、電気受給側の電路と接続する低圧側接続端子とが設けられ、前記本体部の開放部分を開閉可能に装着される蓋部を備える引込分岐端子箱に設置される短絡接地器具であって、
中空状の枠体と、
前記枠体を前記蓋部に替えて前記本体部に装着可能にする固定手段と、
前記枠体内に設けられ、導電性を有し、前記低圧側接続端子と接触する接触部と、
前記接触部と電気的に接続し、前記枠体の外部に延設される接地用ケーブルと、
を有して構成されることを特徴とする短絡接地器具。
【請求項２】
弾性体の作用により前記接触部の一部を変位可能にする変位手段を具備し、
前記変位手段によって変位可能となった変位部材が、前記弾性体の作用により前記低圧側接続端子に押し当てられることを特徴とする請求項１記載の短絡接地器具。
【請求項３】
前記変位部材は、前記枠体を前記本体部に取り付ける方向に対して垂直に摺動する少なくとも一対の部材からなり、前記弾性体の作用により該一対の部材で前記低圧側接続端子を挟持することを特徴とする請求項２記載の短絡接地器具。
【請求項４】
前記変位部材は、前記枠体を前記本体部に取り付ける方向に対して平行に摺動する部材からなり、前記弾性体の作用により該部材を前記低圧側接続端子に対して前記取り付ける方向に押し付けることを特徴とする請求項２記載の短絡接地器具。
【請求項５】
前記枠体は、真鍮製の型枠と、該型枠の外面を覆うゴム製のカバーとからなることを特徴とする請求項１〜４のいずれか１つに記載の短絡接地器具。
【発明の詳細な説明】
【技術分野】
【０００１】
本発明は、架空電線の電気工事等に際して、誤充電による感電事故等を防止するために、作業中の電路を確実に無充電状態にするために使用される短絡接地器具に関し、特に引込分岐端子箱に装着されて使用されるものに関する。
【背景技術】
【０００２】
電気工事等に際しては、作業員の安全等のために作業中の電路を確実に無充電状態にしておかなければならないが、電気機器の不具合、人為的ミス、低圧側からの逆充電現象等により、誤充電が生じる可能性がある。このような誤充電を確実に防止するために、作業電路を短絡接地させる短絡接地器具の使用が義務付けられている。
【０００３】
短絡接地器具の従来構造の一つとして、固定アームと可動アームとにより電線等の導体を挟み込み、可動アームの先端に、可動アームに対して回動可能な接触部材を取り付け、導体を固定アームと接触部材とに接触させて把持することにより、板状の導体や円形の導体を把持することを可能にしたものが開示されている（特許文献１参照）。
【０００４】
また、他の短絡接地器具として、図７に示すような引込分岐端子箱１００に設置されるものがある。引込分岐端子箱１００は、電柱に架設される高圧線の電力を家屋等の受給側の施設に供給するための電路の接続部分に設置される機器であり、高圧線から分岐された引下線１０１と接続されると共に、家屋等から延設されるケーブル１０２と接続される。一般的な引込分岐端子箱１００は、中空状の本体部１０３とその開放部分を開閉する蓋部１０４とを有して構成され、本体部１０３内に、低圧側のケーブル１０２と接続する低圧側接続端子１０５、引下線１０１と接続する高圧側接続端子１０６、及び所定の電気機器が配置されている。低圧側及び高圧側の接続端子１０５，１０６は、ボルト１０７を有して構成され、これを締め付け又は緩めることにより、それぞれのケーブル１０１，１０２を着脱できるようになされている。
【０００５】
図８において、このような引込分岐端子箱１００に設置される従来の短絡接地器具２００の例が示されている。この短絡接地器具２００は、その一端がクリップ型の接続部２０１となっており、この接続部２０１を低圧側接続端子１０５に噛ませる構造となっている。
【特許文献１】特開２００６−３４０４５６号公報
【発明の開示】
【発明が解決しようとする課題】
【０００６】
しかしながら、上記したようなクリップ型の短絡接地器具では、強風や作業員の接触等により外れてしまう危険性が高いため、より強固に接続を維持できる構造が望まれていた。
【０００７】
そこで、本発明は、引込分岐端子箱に装着される短絡接地器具において、引込分岐端子箱に対する固定強度を向上させ、より高い安全性を実現させることを目的とする。
【課題を解決するための手段】
【０００８】
上記目的の達成を図る本発明は、中空状の本体部内に、電気供給側の電路と接続する高圧側接続端子と、電気受給側の電路と接続する低圧側接続端子とが設けられ、前記本体部の開放部分を開閉可能に装着される蓋部を備える引込分岐端子箱に設置される短絡接地器具であって、中空状の枠体と、前記枠体を前記蓋部に替えて前記本体部に装着可能にする固定手段と、前記枠体内に設けられ、導電性を有し、前記低圧側接続端子と接触する接触部と、前記接触部と電気的に接続し、前記枠体の外部に延設される接地用ケーブルとを有して構成されるものである（請求項１）。
【０００９】
上記構成によれば、短絡接地器具の枠体が引込分岐端子箱の蓋部の替わりに固定され、この枠体の内部で引込分岐端子箱の低圧側接続端子と短絡接地器具の接触部との接続が行われる。このため、従来のクリップ型の構造に比べて引込分岐端子箱と短絡接地器具との固定強度、即ち電気的接続の維持力が高くなり、強風や作業員による接触があっても容易に外れてしまうことはない。
【００１０】
また、上記請求項１記載の構成において、弾性体の作用により前記接触部の一部を変位可能にする変位手段を具備し、前記変位手段によって変位可能となった変位部材が、前記弾性体の作用により前記低圧側接続端子に押し当てられるものであることが好ましい（請求項２）。
【００１１】
これにより、引込分岐端子箱の低圧側接続端子の形状のばらつきに対応して、確実な電気的接続を実現することができる。
【００１２】
また、上記請求項３記載の構成において、前記変位部材は、前記枠体を前記本体部に取り付ける方向に対して垂直に摺動する少なくとも一対の部材からなり、前記弾性体の作用により該一対の部材で前記低圧側接続端子を挟持するものであるとよい（請求項３）。
【００１３】
この構造によれば、例えば図４（ａ），（ｂ）に示すように、引込分岐端子箱側の低圧側接続端子（６）を、短絡接地器具側の一対の部材（１８）で挟み込むことにより、引込分岐端子箱と短絡接地器具との電気的接続がなされる。この時、一対の部材（１８）は弾性体（１９）により矢印Ｂ及び矢印Ｂの反対方向に摺動可能になされているので、低圧側接続端子（６）の形状のばらつき等を吸収して確実な接続が実現される。
【００１４】
また、上記請求項３記載の構成において、前記変位部材は前記枠体を前記本体部に取り付ける方向に対して平行に摺動する部材からなり、前記弾性体の作用により該部材を前記低圧側接続端子に対して前記取り付ける方向に押し付けるものであってもよい（請求項４）。
【００１５】
この構造によれば、例えば図６（ａ），（ｂ）に示すように、引込分岐端子箱側の低圧側接続端子（６）の頂部に、短絡接地器具側の部材（３１）を押し付けることにより、引込分岐端子箱と短絡接地器具との電気的接続がなされる。この時、部材（３１）は弾性体（５６）により矢印Ｄの方向に摺動可能になされているので、低圧側接続端子（６）の形状のばらつき等を吸収して確実な接続が実現される。
【００１６】
また、上記請求項１〜４のいずれかに記載の構成において、前記枠体は、真鍮製の型枠と、該型枠の外面を覆うゴム製のカバーとからなることが好ましい（請求項５）。
【００１７】
枠体は堅牢性と絶縁性を兼ね備える必要があるが、上記のような構造とすることにより、真鍮材の堅牢性とゴム材の絶縁性とにより、この必要を満たすことができる。
【発明の効果】
【００１８】
以上のように、本発明によれば、中空状の枠体を引込分岐端子箱の蓋部に替えて装着すると共に、該枠体内において電気的接続が行うようにしたので、引込分岐端子箱と短絡接地器具との固定強度、即ち電気的接続の維持力が高くなり、安全性を向上させることができる。また、低圧側接続端子との接触部の一部を変位可能にし、この変位可能な部分を弾性体の作用により低圧側接続端子に押し当てる構造としたことにより、低圧側接続端子の形状のばらつきがあっても確実に電気的接続を維持することができる。
【発明を実施するための最良の形態】
【００１９】
以下、添付した図面を参照して本発明の実施例を説明する。尚、異なる実施例において同一又は同様の作用効果を奏する箇所についてはその説明を省略する。
【実施例１】
【００２０】
図１に示すのは、本実施例に係る短絡接地器具１の使用状態の例である。この短絡接地器具１は、引込分岐端子箱２に設置されるものであり、引込分岐端子箱２は、本体部３と蓋部４とを有して構成され、本体部３の内部は中空部５となっている。この中空部５には、家屋等からのケーブルと接続する低圧側接続端子６、高圧線からの引下線８と接続する高圧側接続端子７、及びその他の電気機器が配置されている。本実施例においては、低圧側接続端子６が４つ設けられ、高圧側接続端子７が１つ設けられている構造を例として用いる。これらの接続端子６，７は、ボルトを有して構成され、これを締め付け又は緩めることにより、ケーブルと接続又は切断（取り外し）をすることができるようになされている。
【００２１】
図１及び図２において、本実施例に係る短絡設置器具１の構造が示されている。図２（ａ）は正面図（図１において引込分岐端子箱２と対峙する面からみた構造）、図２（ｂ）は背面図、図２（ｃ）はＡ−Ａ断面図である。短絡設置器具１は、型枠１５、ゴムカバー１６、軸１７、接触金具１８、弾性体１９、弾性体保持部２０、ネジ穴２２、接地用ケーブル２３、接地用端子２４（図１参照）、棒状部材２５、固定用帯状体２６を有して構成されている。
【００２２】
型枠１５は、真鍮等の堅牢な材料から形成され、一面が開放された箱状の部材であり、図２（ｃ）に示すように、この型枠１５の外面を覆うように、非導電性のゴムカバー１６が配置されている。
【００２３】
軸１７は、型枠１５の内部空間３０の背面側の内壁に固定され、導電性の材料からなり、断面凸形状を有している。
【００２４】
接触金具１８は、導電性の材料からなり、断面略Ｌ字形状を有し、軸１７の頂部３１の両側の低面部３２上に摺動可能に設置されている。また、接触金具１８の正面側（図２（ｃ）において下方側）に突き出した部分の端部には、外側へ拡がるように傾斜部３３が形成されている。この接触金具１８は、前記引込分岐端子箱２（図１参照）の低圧側接続端子６と接触し、電気的に接続する部分である。
【００２５】
弾性体１９は、断面Ｕ字形状の板バネであり、型枠１５と軸１７（接触金具１８）との間に配される弾性体保持部２０に形成された凹部３５に保持される。この弾性体１９は、接触金具１８の端部と当接し、接触金具１８を軸１７の頂部３１側へ押し付けている。
【００２６】
ネジ穴２２は、型枠１５及びゴムカバー１６を共に貫通するように穿設された螺条の穴であり、設置時に、引込分岐端子箱２の本体部３（図１参照）の上部に形成されたネジ穴３７と対峙する位置に設けられている。
【００２７】
接地用ケーブル２３は、その一端が軸１７に電気的に接続され、型枠１５及びゴムカバー１６を貫通して外部に延設され、他端に接地用の外部設備に接続される接地用端子２４（図１参照）が設けられて構成されている。
【００２８】
棒状部材２５は、型枠１５の下端部からゴムカバー１６を貫通して下方に延設された２本の非導電性の材料からなる柱状の部材であり、適度な弾力性を有するものである。
【００２９】
固定用帯状体２６ａ，２６ｂは、布生地等の表面にマジックテープ（登録商標）等の固定手段が設けられた帯状の部材であり、上部に配された幅狭の固定用帯状態２６ａと、下部に配された幅広の固定用帯状態２６ｂとからなり、それぞれの端部が一方の棒状部材２５に固定されている。
【００３０】
図１、図３、及び図４において、上記構成の短絡接地器具１を引込分岐端子箱２に設置する際の状態が示されている。図３（ａ），（ｂ）に示すように、引込分岐端子箱２に短絡接地器具１を被せた後、短絡接地器具１のネジ穴２２及び引込分岐端子箱２のネジ穴３７に止めネジ３９を螺合させると共に、上部の固定用帯状体２６ａを引込分岐端子箱２の蝶番部４１に巻き付け、下部の固定用帯状態２６ｂを蓋部４に巻き付ける（図３（ｂ）参照）。このように、本構成においては、引込分岐端子箱２の蓋部４に替えて短絡接地器具１を固定する。これにより、引込分岐端子箱２と短絡接地器具１とを強固に連結させることができる。
【００３１】
この時、短絡接地器具１の内部は、図４（ａ），（ｂ）に示すような状態となっている。即ち、短絡接地器具１の２つの接触金具１８が引込分岐端子箱２の低圧側接続端子６を挟み込むようにして接触し、接触金具１８（短絡接地器具１）と低圧側接続端子６（引込分岐端子箱２）とが電気的に接続された状態となっている。この時、接触金具１８に形成された傾斜部３３によって、２つの接触金具１８の間に低圧側接続端子６が入り込みやすくなると共に、接触金具１８をスムーズに矢印Ｂの方向に摺動させることができる。
【００３２】
上記構成により、短絡接地器具１の型枠１５及びゴムカバー１６（請求項１における枠体）が、引込分岐端子箱２の蓋部４の替わりに固定され、型枠１５の内部で低圧側接続端子６と接触金具１８との接続が行われる。このため、従来のクリップ型等の構造に比べて、引込分岐端子箱２と短絡接地器具１との固定強度、即ち電気的接続の維持力が高くなり、強風や作業員による接触があっても容易に外れてしまうことはない。また、接触金具１８の摺動性及び弾性体１９の作用により、低圧側接続端子６の形状のばらつきを吸収して、確実に電気的接続を維持することができる。
【実施例２】
【００３３】
図５（ａ），（ｂ）において、本実施例に係る短絡接地器具５１の構造が示されている。この短絡接地器具５１は、上記実施例１の構成に加えて、第２の弾性体保持部５５及び第２の弾性体５６を具備することを特徴としている。
【００３４】
第２の弾性体保持部５５は、枠タイ１５の背面側（設置時に引込分岐端子箱２から遠くなる側）の内壁面に固定され、第２の弾性体５６を保持するための凹部５７が形成されている。第２の弾性体５６の凹部５７に嵌まり込んだ端部とは反対側の端部は、上記軸１７に固定されており、この第２の弾性体５６の反発力は、軸１７の矢印Ｃの方向（引込分岐端子箱２に対して進退する方向）への揺動を許容する。即ち、図５（ｂ）に示すように、接触金具１８により引込分岐端子箱２の低圧側接続端子６が保持される時、この低圧側接続端子６の頂部（ボルト）が軸１７の頂部３１に当接するが、前記第２の弾性体５６の作用によって、低圧側接続端子６と軸１７との当接圧力が大きくなる。これにより、両者の電気的接続をより確実なものとすることができる。尚、本実施例においては、第２の弾性体５６をコイルバネとしたが、上記実施例１に係る（第１の）弾性体１９と同様の板バネであってもよい。
【実施例３】
【００３５】
図６（ａ），（ｂ）において、本実施例に係る短絡接地器具６１の構造が示されている。この短絡接地器具６１は、上記実施例２に係る第２の弾性体保持部５５及び第２の弾性体５６を具備し、上記実施例１及び２に係る接触金具１８、（第１の）弾性体１９、（第１の）弾性体保持部２０を具備しない構造となっている。即ち、上記実施例２の構造から、接触金具１８、（第１の）弾性体１９、及び（第１の）弾性体保持部２０を省略した構造となっている。
【００３６】
このような構造によっても、上記第２の弾性体５６の作用により、軸１７と低圧側接続端子６とがしっかりと当接されるので、十分な電気的接続状態を得ることができ、構造の簡素化、コストの削減等を図ることができる。
【図面の簡単な説明】
【００３７】
【図１】本発明に係る短絡接地器具の使用状態を示す図である。
【図２】（ａ）は本発明の実施例１に係る短絡接地器具の構造を示す正面図であり、（ｂ）は同短絡接地器具の構造を示す背面図であり、（ｃ）は同短絡接地器具の構造を示すＡ−Ａ断面図である。
【図３】（ａ）及び（ｂ）は本発明の実施例１に係る短絡接地器具が引込分岐端子箱に装着される際の状態を示す側面図である。
【図４】（ａ）及び（ｂ）は本発明の実施例１に係る短絡接地器具における接触金具と低圧側接続端子との接続状態を示す図である。
【図５】（ａ）及び（ｂ）は本発明の実施例２に係る短絡接地器具における接触部分の構造及び接続状態を示す図である。
【図６】（ａ）及び（ｂ）は本発明の実施例３に係る短絡接地器具における接触部分の構造及び接続状態を示す図である。
【図７】引込分岐端子箱の構造例を示す図である。
【図８】従来の短絡接地器具の構造例を示す図である。
【符号の説明】
【００３８】
１，５１，６１  短絡接地器具
２  引込分岐端子箱
３  本体部
４  蓋部
６  低圧側接続端子
７  高圧側接続端子
８  引下線
１５  型枠（枠体）
１６  ゴムカバー（枠体）
１７  軸（接触部）
１８  接触金具（接触部）
１９，５６  弾性体
２０，５５  弾性体保持部
２２，３７  ネジ穴
２３  接地用ケーブル
２６  固定用帯状体
３９  止めネジ
【図１】
2009005537.tif 000003
【図２】
2009005537.tif 000004
【図３】
2009005537.tif 000005
【図４】
2009005537.tif 000006
【図５】
2009005537.tif 000007
【図６】
2009005537.tif 000008
【図７】
2009005537.tif 000009
【図８】
2009005537.tif 000010